(57)【要約】【課題】  従来にはない腹話術唇付模造携帯式マイクを提供する。【解決手段】  模造携帯マイクと該マイクにワイヤーを操作する操作具及び該操作具を遮弊する遮弊板とを取付けてなる模造携帯マイク本体を設け、該マイク本体に支持具とワイヤーとを介して軟質性樹脂材からなる人工唇に連結し、かつ該人工唇にモザイク板を取付けて操作具を介して唇の開閉操作を自在にすることを特徴とする腹話術用の唇付模造携帯式マイクの提供と、前記の唇付模造携帯式マイクにおいて腹話術の上演者の片手にマイクを握り出演者の顔に近づけかつ片方の指先でワイヤー付の操作具を操作して人工唇の開閉を自在にして腹話術を上演することを特徴とする腹話術用の唇付模造携帯式マイクの使用方法の提供。【選択図】  図１
2005052566.tif 000002
【特許請求の範囲】
【請求項１】
模造携帯マイクと、該マイクにワイヤーを操作する操作具及び該操作具を遮弊する遮弊板とを取付けてなる模造携帯マイク本体を設け、該マイク本体に支持具とワイヤーとを介して軟質性樹脂材からなる人工唇に連結し、該人工唇を前記操作具を介して唇の開閉操作を自在にすることを特徴とする腹話術用の唇付模造携帯式マイク。
【請求項２】
前項の唇付模造携帯式マイクにおいて、人工唇をモザイク板に取付けかつ着脱を自在にしてなる請求項１記載の腹話術用の唇付模造携帯式マイク。
【請求項３】
請求項１記載の唇付模造携帯式マイクにおいて、人工唇内に唇固定用のヒンジを装着しかつ下唇部分を開閉自在にするバネを装着し、更に唇部分とワイヤーとの脱着を自在にする請求項１及び２記載の腹話術用の唇付模造携帯式マイク。
【請求項４】
請求項１記載の唇付模造携帯付マイクにおいて、各種形状の人工唇部分を成型し、該人工唇を自在に脱着可能にした請求項１又は２記載の腹話術用の唇付模造携帯式マイク。
【請求項５】
請求項１記載の唇付模造携帯式マイクにおいて、人工唇の開閉を電動式にしてなる請求項１又は２記載の腹話術用の唇付模造携帯式マイク。
【請求項６】
請求項１又２記載の唇付模造携帯式マイクにおいて、腹話術の上演者の片手にマイクを握り出演者の顔に近づけ、かつ片方の指先でワイヤー付の操作具を操作して人工唇の開閉を自在にして腹話術を上演することを特徴とする腹話術用の唇付模造携帯式マイクの使用方法。
【請求項７】
請求項６の携帯式マイクの使用方法のおいて、腹話術の上演者が入場者等の出演者との会話を自在に演出する請求項６記載の腹話術用の唇付模造携帯式マイクの使用方法。
【発明の詳細な説明】
【技術分野】
【０００１】
本発明は腹話術に用いられる用具に関するが、詳しくは人形の替りに唇付模造携帯式マイクを用いたものである。
【背景技術】
【０００２】
従来の腹話術は、ふくちゃんなどの人形をあやつりながら上演者１人で会話するのが一般的であった。これらの腹話術は、専ら交通安全など幼稚園児や小学生を対象に教育の一環として利用されていた。ところが、最近本願の発明者である玉城一石（芸名いっこく堂）が独学により開発された高度の技術を有する大人向の腹話術が普及され日本国内は勿論のこと世界的にも有名になっている。
【０００３】
ところが、このような高度な腹話術に対抗して「発音機能を備えた人形玩具」が開発され開示（実用新案登録第３０７６０９８号）された。この人形玩具は、あたかも腹話術のような人形の動作と音声で人を楽しませることが素人でも簡単にできる音声機能を備えた人形玩具を提供することを目的とするものであり、その構成は手動により口部を開閉できるよう手挿入穴を有する人形玩具本体を設け、該人形玩具本体に挿入穴へ挿入した手の操作で音声できるよう音声発生装置を装備したものである。
【特許文献１】実用新案登録３０７６０９８号公報  具体的には、図９に示すようにぬいぐるみ等の人形玩具本体１と、該人形玩具本体１に内蔵した音声発生装置２とを主要部材として構成されている。人形玩具本体１は、その口部１ａが開閉自在に形成されると共に内部に下端開口部から挿入した手ａによて口部１ａが開閉操作可能に手挿入礼１ｂが縦方向に長く形成されている。また音声発生装置２は、圧力センサ３と光センサ４とこれらから入力した外部情報に基づいて作動する音声信号発生装置と、この音声信号発生装置の音声信号に基づいて音声を発生する音声発生器および電源とから構成されている。
【発明の開示】
【発明が解決しようとする課題】
【０００４】
このような従来方法による腹話術は、いずれも本格的な腹話術とはかけ離れており、高度な技術による高級指向の腹話術とは不向きである。更に、人形を使用する従来型の腹話術から脱皮し人形を使用せずに腹話術を行うことを可能にするところに、本発明が解決しようとする課題を有する。
【課題を解決するための手段】
【０００５】
本発明は上記の如き課題を解決するために開発したものであって、模造携帯マイクと該マイクにワイヤーを操作する操作具及び該操作具を遮弊する遮弊板とを取付けてなる模造携帯マイク本体を設け、該マイク本体に支持具とワイヤーとを介して軟質性樹脂材からなる人工唇に連結し該人工唇を前記操作具を介して唇の開閉操作を自在にすることを特徴とする腹話術用の唇付模造携帯式マイクの提供にあり、また前記の唇付模造携帯式マイクにおいて人工唇をモザイク板に取付けかつ着脱を自在にしてなる腹話術用の唇付模造携帯式マイクの提供にあり、また前記の唇付模造携帯式マイクにおいて人工唇内に唇固定用のヒンジを装着しかつ下唇部分を開閉自在にするバネを装着し更に唇部分とワイヤーとの脱着を自在にする腹話術用の唇付模造携帯式マイクの提供にあり、更に前記の唇付模造携帯付マイクにおいて各種形状の人工唇部分を成型し該人工唇を自在に脱着可能にした腹話術用の唇付模造携帯式マイクの提供にあり、更に前記の唇付模造携帯式マイクにおいて人工唇の開閉を電動式にしてなる腹話術用の唇付模造携帯式マイクの提供にある。
【０００６】
また本発明は、前記の唇付模造携帯式マイクにおいて腹話術の上演者の片手にマイクを握り出演者の顔に近づけかつ片方の指先でワイヤー付の操作具を操作して人工唇の開閉を自在にして腹話術を上演することを特徴とする腹話術用の唇付模造携帯式マイクの使用方法の提供にあり、更に前記の携帯式マイクの使用方法のおいて腹話術の上演者が入場者等の出演者との会話を自在に演出する腹話術用の唇付模造携帯式マイクの使用方法の提供にある。
【発明の効果】
【０００７】
本発明は、模造携帯マイクと該マイクにワイヤーを操作する操作具及び該操作具を遮弊する遮弊板とを取付けてなる模造携帯マイク本体を設け、該マイク本体に支持具とワイヤーとを介して軟質性樹脂材からなる人工唇に連結し該人工唇を前記操作具を介して唇の開閉操作を自在にすることを特徴とする腹話術用の唇付模造携帯式マイクであり、また前記の唇付模造携帯式マイクにおいて人工唇をモザイク板に取付けかつ着脱を自在にしてなるり、また前記の唇付模造携帯式マイクにおいて人工唇内に唇固定用のヒンジを装着しかつ下唇部分を開閉自在にするバネを装着し更に唇部分とワイヤーとの脱着を自在にし、また前記の唇付模造携帯付マイクにおいて各種形状の人工唇部分を成型し該人工唇を自在に脱着可能にし、更に前記の唇付模造携帯式マイクにおいて人工唇の開閉を電動式にしてなる腹話術用の唇付模造携帯式マイクである。
【０００８】
また本発明は、前記の唇付模造携帯式マイクにおいて腹話術の上演者の片手にマイクを握り出演者の顔に近づけかつ片方の指先でワイヤー付の操作具を操作して人工唇の開閉を自在にして腹話術を上演することを特徴とする腹話術用の唇付模造携帯式マイクの使用方法であり、更に前記の携帯式マイクの使用方法のおいて腹話術の上演者が入場者等の出演者との会話を自在に演出する腹話術用の唇付模造携帯式マイクの使用方法であるから、次のような多くの効果を有する。
ア、本発明方法によれば、従来のような人形などをあやつりながらの腹話術ではなく模造  の携帯マイク１本あれば自作自演の腹話術を行うことができる。
イ、また本発明による携帯マイクを使用すれば会場から選ばれた出演者を隣に置いて唇の  部分を実物の唇の近くに置いて腹話術をすることによって、人形よりリアルな演出をす  ることが可能となる。
ウ、また人工唇をモザイク板に装着することで、出演者の顔を見なくして会話することで  演出効果を高めることができる。
エ、また人工唇に軟質性樹脂材を用いてあるので、人工唇のモザイク板への装着が自在と  なるばかりか、所望の唇を自在に取り替えることが可能となる。
オ、また携帯マイクに取付けられている操作具の遮弊板の表面を、広告宣伝用に使用する  こともできる。
カ、なお、人工唇の開閉を手動以外に電動式にすることもできるので広範囲な活用が可能  となる。
【発明を実施するための最良の形態】
【０００９】
本発明の実施形態は、模造携帯マイクと該マイクにワイヤーを操作する操作具及び該操作具を遮弊する遮弊板とを取付けてなる模造携帯マイク本体を設け、該マイク本体に支持具とワイヤーとを介して軟質性樹脂材からなる人工唇に連結し該人工唇を前記操作具を介して唇の開閉操作を自在にすることを特徴とする腹話術用の唇付模造携帯式マイクであり、また前記の唇付模造携帯式マイクにおいて人工唇をモザイク板に取付けかつ着脱を自在にしてなる腹話術用の唇付模造携帯式マイクであり、また前記の唇付模造携帯式マイクにおいて人工唇内に唇固定用のヒンジを装着しかつ下唇部分を開閉自在にするバネを装着し更に唇部分とワイヤーとの脱着を自在にする腹話術用の唇付模造携帯式マイクであり、更に前記の唇付模造携帯付マイクにおいて各種形状の人工唇部分を成型し該人工唇を自在に脱着可能にした腹話術用の唇付模造携帯式マイクであり、更に前記の唇付模造携帯式マイクにおいて人工唇の開閉を電動式にしてなる腹話術用の唇付模造携帯式マイクであるから、従来の腹話術用の人形や発声機能を備えた人形玩具などを使用した腹話術とは、全く発想を異にした高度で大人受けする腹話術用の用具を提供することができる。
【００１０】
また本発明の実施形態は、唇付模造携帯式マイクにおいて腹話術の上演者の片手にマイクを握り出演者の顔に近づけかつ片方の指先でワイヤー付の操作具を操作して人工唇の開閉を自在にして腹話術を上演することを特徴とする腹話術用の唇付模造携帯式マイクの使用方法であり、また前記の携帯式マイクの使用方法のおいて腹話術の上演者が入場者等の出演者との会話を自在に演出する腹話術用の唇付模造携帯式マイクの使用方法であるから、従来方法による腹話術とは全く異る発想による腹話術を提供することができる。そして、この新式な方法によれば腹話術を行う上演者の技術や技能もはもとより、より高くてより質のよいセンスを聞き手に提供することができる。
【実施例１】
【００１１】
以下、図面によって本発明の実施例について説明する。
【００１２】
図１乃至図４は、本発明からなる腹話術用の唇付模造携帯式マイクとその使用方法を図示したものであり、１はその模造携帯マイク本体である。この模造携帯マイク本体１は、本物の携帯マイクと同様にハンド部２とマイク部３とが構成されているが、本物のマイクと異ってスピーカーを介して音声を発することはできない。更に、この模造携帯マイク本体１にはワイヤー８を介して手の指で操作する操作具５と、この操作具５をカバーする遮弊板６が取付けられている。一方、軟質性樹脂材から一体成型された人工唇１１にほぼ長方形状のモザイク板１０が着脱自在に挿着されており、この人工唇１１付のモザイク板１０が、模造携帯マイク本体１の支持具７を介して固定されている。すなわち、モザイク板１０の装着されている人工唇１１をワイヤー８付の操作具５を操作して人工唇１１の唇Ｓを開閉できるように構成されているのである。
【００１３】
更に、この唇Ｓの開閉方法を図２により説明すれば、まず腹話術を上演者の手の指Ｂで操作具５に引っかけて下方向に引っ張るとワイヤー８が手前に引っ張られるので、モザイク板１０に固定されている保持具１２を介して下側の唇８が下方向に引っ張られて唇Ｓが開き、反対に操作具５から指Ｂを話すとワイヤー８が元に戻るので下側の唇Ｓが上側の唇Ｓに移動し唇Ｓが閉じた状態となる。図中、４は見せかけのコードであり、また９は唇Ｓを開閉するためのバネであり、１３は人工唇１１を固定するためのヒンジである。なお、遮弊板６は単に操作具５を見えないようにするだけではなく、表面に種々の文字や図柄を書き込むことによって宣伝用の表示板として活用することができる。
【００１４】
更に、図３と図４により人工唇１１のモザイク板１０への着脱方法について説明すれば、まずモザイク板１０の脱着部１４に唇８を手でもって小さく縮小して差し込み手を離せばワンタッチで人工唇１１をモザイク板１０に装着させることができる、反対に取りはずす場合は人工唇１１を手でもって縮めて引き抜けば人工唇１１をモザイク板１０がワンタッチで取りはずすことができる。更に、下側の唇Ｓに輪か付の係止具１５が取付けられているので、この係止具１５にワイヤー８の先端に取付けられている輪かを引っかけたり、取りはずしたりすればワンタッチで唇Ｓからワイヤー８を自在に脱着させることができる。
【００１５】
なお、図５は人工唇１１の形状を示したものであり、（ａ）は男性の老人の唇Ｓを（ｂ）は女性の唇Ｓを（ｃ）は厚い唇Ｓをそれぞれ一体成型しておけば、上演中に所望の人工唇１１をワンタッチで取り替えることが可能となる。更に、図６は人工唇１１からモザイク板１０を取りはずして人工唇１１のみで使用する場合を示したものである。
【００１６】
次に、図７により本発明からなる腹話術用の唇付模造携帯式マイクの使用方法について説明する。まず、本発明の模造携帯式マイク１を腹話術の上演者が片方の手Ａに握り、直立状態又は椅子に座った状態で入場者から選ばれた出演者の隣に立つか又は椅子に座った状態でマイクを近づける。ついで、モザイク板１０を出演者の顔にセットすると同時に唇に人工唇１１を重ね合わせるように配置する。このような状態で、上演者が片方の手の指Ｂで操作して実物の人間が出演者と話し合っている状態を観客が見ることができる。その場合は、モザイク板１０に取付けられている人工唇１１の唇Ｓの開き具合いと腹話術の上演者から発する言葉などの音声とが一致することが絶対条件となる。ここに上演者に高度な技術ないしは、テクニックが求められることになる。なお、図８は操作具５を手動によらず電動式にしたものであり、必要に応じてワンタッチで作動できるようにしたものである。図中１６は電磁弁、１７はバッテリー、１８はスイッチである。
【図面の簡単な説明】
【００１７】
【図１】本発明からなる唇付模造携帯式マイクを示した概要図。
【図２】図１に示した携帯式マイクの一部拡大断面図。
【図３】本発明の要部である人工唇の着脱方法を示した概要図。
【図４】本発明に要部である人工唇の内部構造を示した概要図。
【図５】本発明で使用される種々の人工唇を示した概要図。
【図６】本発明の模造携帯式マイクの他の実施例を示した概要図。
【図７】本発明マイクの使用状態を示した説明概要図。
【図８】本発明のマイクの他の実施例を示した概要図。
【図９】従来の発声機能を備えた人形玩具をい示した概要図。
【符号の説明】
【００１８】
１  模造携帯マイク本体        ２  ハンド部
３  マイク部                  ４  コード
５  操作具                    ６  遮弊板
７  支持具                    ８  ワイヤー
９  バネ                      １０  モザイク板
１１  人工唇                  １２  保持具
１３  ヒンジ                  １４  脱着部
１５  係止具                  １６  電磁弁
１７  バッテリー              １８  スイッチ
Ａ  手                        Ｂ  指
Ｓ  唇
【図１】
2005052566.tif 000003
【図２】
2005052566.tif 000004
【図３】
2005052566.tif 000005
【図４】
2005052566.tif 000006
【図５】
2005052566.tif 000007
【図６】
2005052566.tif 000008
【図７】
2005052566.tif 000009
【図８】
2005052566.tif 000010
【図９】
2005052566.tif 000011